(57)【特許請求の範囲】
【請求項１】
下部ノズルを収納して下方から支持する円筒状の下部ノズルホルダーの外周面に形成した複数の突起を、スライディングノズル装置の下プレートを収納する下プレート収納金枠に連結固定した円筒状の下部ノズルスリーブの内周面に形成した螺旋溝にはめ込み、下部ノズルホルダーを前記螺旋溝に沿って回転させることにより、下部ノズルをスライディングノズル装置の下プレートに圧着固定するバイオネット方式の下部ノズル固定装置において、
下部ノズルスリーブの下端面に前記螺旋溝と同じ方向に傾斜する傾斜面を設け、この傾斜面に、下部ノズルホルダーに装着されたボルトの先端を突き当てるようにしており、
前記螺旋溝の傾斜角度が８度以下であり、前記傾斜面の傾斜角度が前記螺旋溝の傾斜角度より１度以上大きいことを特徴とするバイオネット方式の下部ノズル固定装置。
【発明の詳細な説明】
【技術分野】
【０００１】
本発明は、溶融金属の流量制御を行うスライディングノズル装置の下プレートに、下部ノズルをバイオネット方式で固定する下部ノズル固定装置に関する。
【背景技術】
【０００２】
スライディングノズル装置は、溶融金属の流量制御を正確に行うことができるため、各種の溶融金属容器に広く利用されている。スライディングノズル装置は、一般的に２〜３枚のプレートを備え、一番下の下プレートの下面に下部ノズルが接合される。
【０００３】
この下部ノズルを下プレートの下面に接合して固定する下部ノズル固定装置としては、一般的にバイオネット方式の固定装置が使用されている（例えば特許文献１〜３）。バイオネット方式の下部ノズル固定装置は、図５及び図６に示すように、円筒状の下部ノズルホルダー１０と、同じく円筒状の下部ノズルスリーブ２０とを備える。下部ノズルホルダー１０は、下部ノズル３０を収納して下方から支持するもので、その外周面に複数の突起１１が形成されている。下部ノズルスリーブ２０は、スライディングノズル装置の下プレート４０を収納する下プレート収納金枠５０に連結固定され、その内周面に突起２１と対応する位置に複数の螺旋溝２１が形成されている。
【０００４】
下部ノズル３０をスライディングノズル装置の下プレート４０に接合する際には、下部ノズルホルダー１０に下部ノズル３０を収納した状態で、下部ノズルホルダー１０の突起１１を下部ノズルスリーブ２０の螺旋溝２１にはめ込み、下部ノズルホルダー１０を螺旋溝２１に沿って回転させることにより、下部ノズルホルダー１０を下部ノズルスリーブ２０に装着（螺着）する。これにより、下部ノズルホルダー１０の上端面が下部ノズル３０のフランジ部３１を下方から押し付けるため、下部ノズル３０をスライディングノズル装置の下プレート４０に強く押し付けて圧着固定（接合）することができる。
【０００５】
従来、このようなバイオネット方式の固定装置においては、下部ノズルスリーブ２０に装着（螺着）された下部ノズルホルダー１０が容易に弛まないように、装着の際に、下部ノズルホルダー１０の取手１２をハンマー等でかなり強く叩いて締め付けるようにしていた。
【０００６】
しかし、このハンマー等による過剰な打撃操作は、下部ノズルホルダー１０が変形し早期に使用できなくなる原因となるばかりか、下部ノズルホルダー１０の変形により、下部ノズル３０に亀裂が発生したり、下部ノズル３０が弛んで溶融金属の漏れが発生したりする原因となっている。
【先行技術文献】
【特許文献】
【０００７】
【特許文献１】特開平１０−５８１２４号公報
【特許文献２】特開２００８−１８８６３９号公報
【特許文献３】特開２００８−２９６２３３号公報
【発明の概要】
【発明が解決しようとする課題】
【０００８】
本発明が解決しようとする課題は、ハンマー等による過剰な打撃操作を行うことなく、弛みを確実に防止できる下部ノズル固定装置を提供することにある。
【課題を解決するための手段】
【０００９】
本発明は、下部ノズルを収納して下方から支持する円筒状の下部ノズルホルダーの外周面に形成した複数の突起を、スライディングノズル装置の下プレートを収納する下プレート収納金枠に連結固定した円筒状の下部ノズルスリーブの内周面に形成した螺旋溝にはめ込み、下部ノズルホルダーを前記螺旋溝に沿って回転させることにより、下部ノズルをスライディングノズル装置の下プレートに圧着固定するバイオネット方式の下部ノズル固定装置において、下部ノズルスリーブの下端面に前記螺旋溝と同じ方向に傾斜する傾斜面を設け、この傾斜面に、下部ノズルホルダーに装着されたボルトの先端を突き当てるようにしており、前記傾斜面の傾斜角度を、前記螺旋溝の傾斜角度より大きくしたことを特徴とする。
【００１０】
具体的には、前記螺旋溝の傾斜角度は経験的に下部ノズルホルダーが自然に弛むことがない８度以下にする。また、前記傾斜面の傾斜角度は前記螺旋溝の傾斜角度より１度以上大きくする。
【発明の効果】
【００１１】
本発明の下ノズル固定装置では、下部ノズルスリーブの下端面に設けた傾斜面に、下部ノズルホルダーに装着（螺着）されたボルトの先端を突き当てるようにしているので、ボルトが弛み防止のストッパーの作用を奏する。しかも、傾斜面の傾斜角度を螺旋溝の傾斜角度より大きくしているので、ボルトによって弛みを確実に防止できる。したがって、従来のようにハンマー等による過剰な打撃操作を行うことなく、弛みを確実に防止できる。
【図面の簡単な説明】
【００１２】
【図１】本発明の下部ノズル固定装置の一実施例を示す分解斜視図である。
【図２】図１の下部ノズル固定装置において、傾斜面とボルトとの位置関係を、螺旋溝と突起との位置関係と対照して示す説明図である。
【図３】図１の下部ノズル固定装置において、下部ノズルホルダーを締め付ける際に使用する締付治具を示し、（ａ）は左側面図、（ｂ）は平面図である。
【図４】図３の締付治具の使用状態を示す平面図である。
【図５】従来の下部ノズル固定装置を示す分解斜視図である。
【図６】従来の下部ノズル固定装置の使用状態を示す断面図である。
【発明を実施するための形態】
【００１３】
以下、図面に示す実施例に基づき本発明の実施の形態を説明する。
【００１４】
図１は、本発明の下部ノズル固定装置の一実施例を示す分解斜視図である。
【００１５】
本発明の下部ノズル固定装置はバイオネット方式であり、その基本的な構成は図５及び図６に示した下ノズル固定装置と同じで、円筒状の下部ノズルホルダー１０と、円筒状の下部ノズルスリーブ２０とを備える。下部ノズルホルダー１０は、下部ノズル３０を収納して下方から支持するもので、その外周面に複数（実施例では３個）の突起１１が形成されている。下部ノズルスリーブ２０は、スライディングノズル装置の下プレートを収納する下プレート収納金枠５０に連結固定され、その内周面に突起１１と対応する位置に複数（実施例では３条）の螺旋溝２１が形成されている。さらに、下部ノズルスリーブ２０の下端面には、下部ノズルスリーブ２０の周方向に沿って螺旋溝２１と同じ方向に傾斜する傾斜面２２が形成されている。そして、この傾斜面２２に、下部ノズルホルダー１０のボルト装着部１３に装着（螺着）されたボルト１４の先端を突き当てるようにしている。
【００１６】
下部ノズル３０をスライディングノズル装置の下プレートに接合する際には、下部ノズルホルダー１０に下部ノズル３０を収納した状態で、下部ノズルホルダー１０の突起１１を下部ノズルスリーブ２０の螺旋溝２１にはめ込み、下部ノズルホルダー１０を螺旋溝２１に沿って回転させることにより、下部ノズルホルダー１０を下部ノズルスリーブ２０に装着（螺着）する。これにより、下部ノズルホルダー１０の上端面が下部ノズル３０のフランジ部３１を下方から押し付けるため、下部ノズル３０をスライディングノズル装置の下プレート４０に強く押し付けて圧着固定（接合）することができる。
【００１７】
さらに、本発明の下部ノズル固定装置では、下部ノズルスリーブ２０に装着（螺着）された下部ノズルホルダー１０が弛まないように、下部ノズルホルダー１０のボルト装着部１３に装着（螺着）されたボルト１４の先端を、下部ノズルスリーブ２０の下端面に形成された傾斜面２２に突き当てる。
【００１８】
図２は、傾斜面２２とボルト１４との位置関係を、螺旋溝２１と突起１１との位置関係と対照して示す説明図である。図２において右方向が締め方向であり、左方向が弛み方向である。図２からわかるように、下部ノズルホルダー１０に形成された突起１１がはめ込まれる螺旋溝２１と、下部ノズルホルダー１０に装着されたボルト１４が突き当たる傾斜面２２とは、同じ方向に傾斜しているが、傾斜面２２の傾斜角度θ２を、螺旋溝２１の傾斜角度θ１を大きくしている。したがって、突起１１が螺旋溝２１に沿って弛み方向（図２の左方向）に動こうとしても、傾斜面２２に突き当たっているボルト１４がこの妨げとなり、弛みを確実に防止できる。
【００１９】
本実施例では、下部ノズルスリーブ２０の下端面の一箇所に傾斜面２２を設けたが、弛み防止効果をより顕著に作用させるには、傾斜面２２を等間隔で複数箇所に設けることもできる。ただし、傾斜面２２を三箇所以上に設けても二箇所に設けた場合と弛み防止効果は大差がなく、むしろボルト１４の配置スペース及び作業性を考慮すると、最大で二箇所に設ければ十分である。
【００２０】
ここで、螺旋溝２１の傾斜角度θ１は、８度以下にする。傾斜角度θ１が８度を超えると、突起１１が螺旋溝２１に沿って弛み方向に動きやすくなる（傾斜角度θ１が大きくなればなるほど、突起１１が螺旋溝２１に沿って弛み方向に動きやすくなる。）。傾斜角度θ１の下限はとくに限定されないが、螺旋溝２１の配置スペース及び作業性の点から３度以上であることが好ましい。また、傾斜面２２の傾斜角度θ２と螺旋溝２１の傾斜角度θ１との差（θ２−θ１）は１度以上にする。θ２−θ１が１度未満であると、ボルト１４によるストッパーの作用が十分に得られない場合がある。θ２−θ１の上限はとくに限定されないが、ボルト１４の配置スペースの点から４度以下であることが好ましい。なお、本実施例では、螺旋溝２１の傾斜角度θ１＝４度、傾斜面２２の傾斜角度θ２＝６度、θ２−θ１＝２度とした。
【００２１】
図３は、図１に示した本発明の下部ノズル固定装置において、下部ノズルホルダー１０を締め付ける際に使用する締付治具を示し、（ａ）は左側面図、（ｂ）は平面図である。締付治具６０は、把持棒６１の先端に半円弧状のつかみ部６２を備え、つかみ部の両方の先端部分に爪部６３が形成されている。つかみ部の内周の円弧の曲率は、下部ノズルホルダー１０の外周面の曲率と同じにしている。
【００２２】
図４は、締付治具６０の使用状態を示す平面図である。先に説明したように、下部ノズルホルダー１０を下部ノズルスリーブ２０に装着して締め付ける際、締付治具６０の爪部６３を、下部ノズルホルダー１０の下端部に形成したＬ字状の引っかけ溝１５（図１参照）に引っかける。その後、把持棒６１を握って所定方向に回転させることで、下部ノズルホルダー１０を締め付ける。このとき、締付治具６０の爪部６２，６２を結ぶ線分が、下部ノズルホルダー１０の中心を通るようにすることで、より確実に締め付け力を作用させることができる。このような締付治具６０を使用することで、ハンマー等による打撃操作を行うことなく、下部ノズルホルダー１０を締め付けることができる。
【００２３】
このようにハンマー等による打撃操作を行うことなく、締付治具により手作業で下部ノズルホルダー１０を締め付ける場合、上述の螺旋溝２１の傾斜角度θ１は、締め付けに要する力が過大とならいように４度以下とすることが好ましい。
【符号の説明】
【００２４】
１０  下部ノズルホルダー
１１  突起
１２  取手
１３  ボルト装着部
１４  ボルト
１５  引っかけ溝
２０  下部ノズルスリーブ
２１  螺旋溝
２２  傾斜面
３０  下部ノズル
３１  フランジ部
４０  下プレート
５０  下プレート収納金枠
６０  締付治具
６１  把持棒
６２  つかみ部
６３  爪部
【図１】
0005692851.tif 000002
【図２】
0005692851.tif 000003
【図３】
0005692851.tif 000004
【図４】
0005692851.tif 000005
【図５】
0005692851.tif 000006
【図６】
0005692851.tif 000007